(57)【要約】【課題】  携帯電話機のスケジュール機能を、複数の用途ごとに使い分けても使用者の体裁が悪くなってしまうことを防止することが可能な携帯電話機を提供すること。【解決手段】  １台で複数の自局電話番号を使用可能な携帯電話機であって、使用者のスケジュールに関するスケジュールデータを、複数の自局電話番号の各々に対応させて作成可能とするスケジュールデータ作成手段と、スケジュールデータ作成手段により作成されたスケジュールデータを記憶するスケジュールデータ記憶手段と、スケジュールデータ記憶手段に記憶されているスケジュールデータの内容を、複数の自局電話番号の各々について個別に表示可能とする表示制御手段とを備えたことを特徴とする携帯電話機。【選択図】    図４
2005217960.tif 000002
【特許請求の範囲】
【請求項１】
１台で複数の自局電話番号を使用可能な携帯電話機であって、
使用者のスケジュールに関するスケジュールデータを、前記複数の自局電話番号の各々に対応させて作成可能とするスケジュールデータ作成手段と、
前記スケジュールデータ作成手段により作成されたスケジュールデータを記憶するスケジュールデータ記憶手段と、
前記スケジュールデータ記憶手段に記憶されているスケジュールデータの内容を、前記複数の自局電話番号の各々について個別に表示可能とする表示制御手段と
を備えたことを特徴とする携帯電話機。
【請求項２】
前記複数の自局電話番号のなかのいずれかの自局電話番号に対応するスケジュールデータの作成と、当該自局電話番号に対応するスケジュールからなる群に対するアクセスとが、所定の認証が行われることを条件として許可されるシークレットモードに設定可能とするシークレットモード設定手段を備えたことを特徴とする請求項１に記載の携帯電話機。
【請求項３】
前記スケジュールデータ作成手段により作成されるスケジュールデータと、前記スケジュールデータ記憶手段に記憶されているスケジュールデータとについて、時間帯が重複するスケジュールに関するスケジュールデータが存在するか否かを判断する判断手段と、
時間帯が重複したスケジュールに関するスケジュールデータが存在すると前記判断手段が判断したことを受けて、その旨を報知する報知手段と
を備えたことを特徴とする請求項１又は２に記載の携帯電話機。
【請求項４】
使用者のスケジュールに関するスケジュールデータを作成可能とするスケジュールデータ作成手段と、
１又は２以上のスケジュールデータからなるスケジュールデータ群を記憶するスケジュールデータ記憶手段と、
前記スケジュールデータ記憶手段に記憶されているスケジュールデータの内容を、前記スケジュールデータ群ごとに個別に表示可能とする表示制御手段と
を備えたことを特徴とする携帯電話機。
【発明の詳細な説明】
【技術分野】
【０００１】
本発明は、複数の自局電話番号を使用可能な携帯電話機に関する。
【背景技術】
【０００２】
従来、１台で複数の自局電話番号を使用可能な携帯電話機であって、複数の自局電話番号のなかの一の自局電話番号での発着信を可能とする地域（以下、使用可能地域という）を、複数の自局電話番号の各々について個別に設定可能とし、一の自局電話番号で発着信が行われる際に、当該自局電話番号に設定された使用可能地域と、発着信が行われる地域とが同一である場合には、当該自局電話番号での発着信が可能となり、異なる場合には、他の自局電話番号に設定された使用可能地域と、発着信が行われる地域とが同一であるか否かの判断が行われ、同一である場合には、その自局電話番号での発着信が可能となる携帯電話機が存在する（例えば、特許文献１参照）。
【０００３】
【特許文献１】特許第２８５０７８１号公報
【発明の開示】
【発明が解決しようとする課題】
【０００４】
上述した携帯電話機は、着信が行われる地域に応じて、異なる自局電話番号に対する着信が許可されるものであるが、複数の自局電話番号を使い分けている使用者は、当該複数の自局電話番号を個人用と仕事用とに使い分けるというように、用途ごとに使い分けている場合が多い。この場合、仕事中であるにも拘らず、仕事用の通話に使用している自局電話番号が使用不可能となるとともに、個人用の通話に使用している自局電話番号が使用可能となるということがあると、仕事中に友人等から個人用の通話に使用している自局電話番号に対して着信があったときに、そのことが職場の人に知られてしまうというように、使用者の体裁が悪くなってしまうおそれがあるという問題がある。
【０００５】
上述したような使用者の体裁が悪くなってしまうおそれがあるという問題は、複数の自局電話番号を用途ごとに使い分ける場合に限らず、多くの携帯電話機が有するスケジュール機能を用途ごとに使い分ける場合にも起こり得る。
例えば、仕事用と個人用との２つのスケジュールを１つの携帯電話機に登録している場合には、仕事中に個人用のスケジュールの内容が携帯電話機の表示部に表示されたりして職場の人に知られてしまったりするというように、使用者の体裁が悪くなってしまうおそれがあるという問題がある。
【０００６】
本発明は上述した問題に鑑みてなされたものであり、その目的は、携帯電話機のスケジュール機能を、複数の用途ごとに使い分けても使用者の体裁が悪くなってしまうことを防止することが可能な携帯電話機を提供することにある。
【課題を解決するための手段】
【０００７】
上述した課題を解決するために、本発明は、以下のようなものを提供する。
（１）１台で複数の自局電話番号を使用可能な携帯電話機であって、
使用者のスケジュールに関するスケジュールデータを、上記複数の自局電話番号の各々に対応させて作成可能とするスケジュールデータ作成手段と、
上記スケジュールデータ作成手段により作成されたスケジュールデータを記憶するスケジュールデータ記憶手段と、
上記スケジュールデータ記憶手段に記憶されているスケジュールデータの内容を、上記複数の自局電話番号の各々について個別に表示可能とする表示制御手段と
を備えたことを特徴とする携帯電話機。
【０００８】
（１）の発明によれば、例えば、仕事用の通話に使用している自局電話番号に対応させて仕事のスケジュールを登録し、一方、個人用の通話に使用している自局電話番号に対応させて私用のスケジュールを登録するというように、用途ごとに個別にスケジュールを登録させることが可能であるとともに、用途ごとのスケジュールを個別に表示させることが可能となる。そのため、仕事中に個人用のスケジュールの内容が職場の人に知られてしまうということがなく、携帯電話機のスケジュール機能を複数の用途ごとに使い分けても使用者の体裁が悪くなってしまうことを防止することが可能となる。
【０００９】
さらに、本発明は、以下のようなものを提供する。
（２）  上記（１）に記載の携帯電話機であって、
上記複数の自局電話番号のなかのいずれかの自局電話番号に対応するスケジュールデータの作成と、当該自局電話番号に対応するスケジュールからなる群に対するアクセスとが、所定の認証が行われることを条件として許可されるシークレットモードに設定可能とするシークレットモード設定手段を備えたことを特徴とする。
【００１０】
（２）の発明によれば、例えば、仕事中に、個人用のスケジュールの作成と、個人用のスケジュールデータからなる群に対するアクセスとについて、シークレットモードに設定することにより、職場の人により個人用のスケジュールが変更されたり、職場の人に個人用のスケジュールを見られてしまったりすることがない。このように、複数の自局電話番号のなかのいずれかの自局電話番号に対応するスケジュールの作成と、当該自局電話番号からなる群に対するアクセスとについて、シークレットモードに設定可能とすることにより、他人に変更されたり、知られたりすることを望まないスケジュールをより確実に保護することが可能となる。
【００１１】
さらに、本発明は、以下のようなものを提供する。
（３）  上記（１）又は（２）に記載の携帯電話機であって、
上記スケジュールデータ作成手段により作成されるスケジュールデータと、上記スケジュールデータ記憶手段に記憶されているスケジュールデータとについて、時間帯が重複するスケジュールに関するスケジュールデータが存在するか否かを判断する判断手段と、
時間帯が重複したスケジュールに関するスケジュールデータが存在すると上記判断手段が判断したことを受けて、その旨を報知する報知手段とを備えたことを特徴とする。
【００１２】
（３）の発明によれば、時間帯が重複するスケジュールに関するスケジュールデータが作成された場合には、その旨が報知されるため、所謂ダブルブッキングが起こることによる人間関係の悪化を防止することが可能となる。
【００１３】
さらに、本発明は、以下のようなものを提供する。
（４）使用者のスケジュールに関するスケジュールデータを作成可能とするスケジュールデータ作成手段と、
１又は２以上のスケジュールデータからなるスケジュールデータ群を記憶するスケジュールデータ記憶手段と、
上記スケジュールデータ記憶手段に記憶されているスケジュールデータの内容を、スケジュールデータ群ごとに個別に表示可能とする表示制御手段と
を備えたことを特徴とする携帯電話機。
【００１４】
（４）の発明によれば、スケジュールデータの内容を、複数の用途ごとに個別に表示させることが可能となるため、携帯電話機のスケジュール機能を複数の用途ごとに使い分けても使用者の体裁が悪くなってしまうことを防止することが可能となる。
【発明の効果】
【００１５】
本発明の構成によれば、複数の自局電話番号の各々に対応させてスケジュールデータを作成することが可能であるとともに、スケジュールデータの内容を、複数の自局電話番号の各々について個別に表示させることが可能であるため、携帯電話機のスケジュール機能を複数の用途ごとに使い分けても、使用者の体裁が悪くなることを防止することが可能となる。
【発明を実施するための最良の形態】
【００１６】
本発明の実施形態について図面に基づいて説明する。以下においては、１台で３つの自局電話番号の使用が可能な携帯電話機について説明することにする。なお、本発明の携帯電話機において、１台で使用可能な自局電話番号の数は、特に限定されるものではない。
図１は、実施形態に係る携帯電話機の一例を模式的に示す斜視図である。
【００１７】
携帯電話機１は、基地局にキャリアの入出力を行うアンテナ２（２ａ〜２ｃ）と、電話に出たときに相手局（着信相手先）の音声を聞くための受話口３と、各種機能の設定や着信時に相手局電話番号や相手先の氏名等を表示するための表示部としてのディスプレイ４と、着信音量や通話音量を調節したり、メモリダイヤルの内容をディスプレイ４上に所要の状態で表示させたり、各種機能の設定を選択するための十字方向操作キー５と、電話番号や文字等を入力する際に使用されるダイヤルキーを含む操作キー群６と、通話中に自局の音声を伝えるための送話口７とを備えている。
【００１８】
携帯電話機１の外装は、所要の内装部品（電子部品を含む）を収容するためのケース１１と、ケース１１に収容された内装部品を覆うカバー１２とに分割されており、ケース１１内に内装部品を収容した状態で、ケース１１及びカバー１２の両者を嵌め合わせることにより構成されている。
【００１９】
アンテナ２（２ａ〜２ｃ）は、携帯電話機１で使用可能な３つの自局電話番号にそれぞれ対応しており、ケース１１及びカバー１２の両者に挟み込まれ、その先端部が携帯電話機１の前端左側から前方へ突出している。受話口３は、カバー１２の前方部に形成される一方、送話口７は、カバー１２の後方部に形成されている。ディスプレイ４の表示面は、受話口３の下方位置においてカバー１２から露出しており、操作キー群６の操作面は、送話口７の上方位置においてカバー１２から露出している。
【００２０】
十字方向操作キー５は、通信を行うべく携帯電話機１を把持した際に母指での操作を容易にするように、ディスプレイ４と操作キー群６との間で、かつ、携帯電話機１の幅方向中央部に配置されている。
【００２１】
図２は、図１に示した携帯電話機の内部構成を示すブロック図である。
携帯電話機１の３つの自局電話番号に対応したアンテナ２（２ａ〜２ｃ）は、それぞれ基地局とのキャリアの入出力を行う。アンテナ２（２ａ〜２ｃ）には、それぞれ信号処理回路１０１ａ〜１０１ｃが接続されている。
なお、本発明の携帯電話機が備えるアンテナの数は、特に限定されるものではなく、必ずしも、携帯電話機１のように、使用可能な自局電話番号に対応した数のアンテナが設けられる必要はない。例えば、１つのアンテナで複数の自局電話番号についての送信キャリアの送信及び受信キャリアの受信を行うこととしてもよい。
【００２２】
信号処理回路１０１（１０１ａ〜１０１ｃ）は、アンテナ２（２ａ〜２ｃ）より入力された受信キャリアの復調処理を行う受信器と、送信キャリアを変調処理する送信器と、受信器及び送信器に対して送信キャリア及び受信キャリアの送受信周波数の制御を行うシンセサイザと、音声及び制御情報の復号化処理等を行うチャネルデコーダと、音声及び制御情報の符号化処理を行うチャネルエンコーダと、音声の符号／復号処理を行う音声コーデックと、スピーカ１１１及びマイクロホン１１２とのインターフェイスとして機能する送受話器とを備えている。
【００２３】
アンテナ２（２ａ〜２ｃ）から入力された受信キャリアは、受信機−チャネルデコーダ−音声コーデック−送受信機によって音声に変換されて、スピーカ１１１から出力される。一方、通話中にマイクロホン１１２から入力された音声は、使用中の自局電話番号に対応した信号処理回路１０１に入力され、送受信機−音声コーデック−チャネルエンコーダ−送信器によって送信キャリアに変換されて、アンテナ２（２ａ〜２ｃ）から出力される。これにより、音声通話が達成される。携帯電話機１は、上述したように、アンテナ２（２ａ〜２ｃ）と、３つの信号処理回路１０１（１０１ａ〜１０１ｃ）とを有しており、３つの自局電話番号のいずれか１つを使用して音声通話を行うことができる。
【００２４】
信号処理回路１０１ａ〜１０１ｃには、それぞれレベル検出回路１０２ａ〜１０２ｃが接続されている。レベル検出回路１０２（１０２ａ〜１０２ｃ）は、基地局からアンテナ２（２ａ〜２ｃ）を介して信号処理回路１０１（１０１ａ〜１０１ｃ）に入力された受信キャリアの電波強度を検出してそのデータを制御回路１１６に送信する。制御回路１１６は、受信キャリアの電波強度に関するデータを、３つのレベル検出回路１０２（１０２ａ〜１０２ｃ）の各々から受信し、当該データに基づいて、ディスプレイ４にアンテナピクトを表示する。
【００２５】
信号処理回路１０１ａ〜１０１ｃのそれぞれと接続された制御回路１１６は、ＣＰＵ（Central Processing Unit）やメモリ等を有しており、制御中枢を司るものである。具体的には、制御回路１１６は、予め記憶されているプログラムに従って、発信ボタンを含む操作キー群６及び十字操作キー５からの入力に対する制御、ディスプレイ４への表示の制御、信号処理回路１０１ａ〜１０１ｃへの制御（例えば、シンセサイザの制御や、スピーカ１１１又はマイクロホン１１２との音声の送受信を行う信号処理回路１０１ａ〜１０１ｃの切り替え制御等）、着信音出力スピーカ１０３への音信号の出力制御、並びに、バイブレータ用モータ１０４の駆動制御を行う。
【００２６】
制御回路１１６及び着信音出力スピーカ１０３は、所定の着信態様で着信報知を行う着信報知手段である。また、制御回路１１６及びバイブレータ用モータ１０４は、所定の着信態様で着信報知を行う着信報知手段である。
【００２７】
また、制御回路１１６（図示せず）は、メモリを有している。このメモリには、例えば、各種の画像データ、着信音を出力するための種々の音データ、通話時間を累積加算して当該メモリに記憶させるプログラム、３つの自局電話番号の各々についての料金体系に基づいて通話料金を算出するプログラム等、各種のデータやプログラムが記憶される。
【００２８】
また、制御回路１１６には、メモリ等を有する電話番号・スケジュールデータ記憶回路１１３が接続されている。電話番号・スケジュールデータ記憶回路１１３には、アドレス帳テーブルが格納されている。このアドレス帳テーブルには、携帯電話機１で使用可能な自局電話番号ごとに、相手先の名前、及び、相手局電話番号が記憶される。また、アドレス帳テーブルには、使用者のスケジュールに関するスケジュールデータが、携帯電話機１で使用可能な自局電話番号の各々に対応して記憶されている。
【００２９】
次に、電話番号・スケジュールデータ記憶回路１１３に格納されるアドレス帳テーブルについて説明する。
図３は、アドレス帳テーブルの一例を示す概念図である。
アドレス帳テーブルには、自局電話番号が３つ記憶されている。これらの自局電話番号が、携帯電話機１で使用可能な自局電話番号である。
【００３０】
アドレス帳テーブルには、各自局電話番号の用途が記憶されている。最上段の自局電話番号が家族・友人用であり、その下段が私的用であり、最下段が業務用である。
このように自局電話番号とその用途とが関連付けられているため、複数の用途についての使い分けが可能であり、通話料金の支払い先を明確にすることができる。
【００３１】
アドレス帳テーブルには、相手先識別情報（相手局電話番号及び相手先の氏名若しくは名称）が記憶されている。相手先識別情報は、各自局電話番号と関連付けられている。
例えば、家族・友人用の自局電話番号には、相手先「ひろみ（妻）」の識別情報と、相手先「ひろし（友人）」の識別情報とが関連付けられている。また、私的用の自局電話番号には、相手先「りょうこ（恋愛対象）」の識別情報が関連付けられている。また、業務用の自局電話番号には、相手先「○○社長」の識別情報と、相手先「●●部長」の識別情報とが関連付けられている。
【００３２】
また、アドレス帳テーブルには、スケジュールデータが記憶されている。このスケジュールデータは、各自局電話番号と関連付けられている。
例えば、家族・友人用の自局電話番号には、相手先「ひろみ（妻）」についてのスケジュールに関するスケジュールデータ、及び、「ひろし（友人）」についてのスケジュールに関するスケジュールデータを含む群（以下、家族・友人用のスケジュールデータ群という）が関連付けられている。また、私的用の自局電話番号には、相手先「りょうこ（恋愛対象）」についてのスケジュールに関するスケジュールデータからなる群（以下、私的用のスケジュールデータ群という）が関連付けられている。また、業務用の自局電話番号には、相手先「○○社長」についてのスケジュールに関するスケジュールデータ、及び、「●●部長」についてのスケジュールに関するスケジュールデータを含む群（以下、業務用のスケジュールデータ群）が関連付けられている。
【００３３】
実施形態に係る携帯電話機１では、各自局電話番号に対応するスケジュールデータからなる群の各々を、シークレットモードに設定することが可能である。図３に示した例では、家族・友人用のスケジュールデータ群と、私的用のスケジュールデータ群とがシークレットモードに設定されている。スケジュールデータ群がシークレットモードに設定されている場合には、所定の暗証番号による認証が行われることを条件として、当該スケジュールデータ群に対するアクセスが許可され、当該スケジュールデータ群に対する読出し、書込み、書換え等の処理を行うことが可能となる。
使用者は、十字方向操作キー５、操作キー群６を操作することにより、各自局電話番号に対応するスケジュールデータ群のなかのいずれかを、シークレットモードに設定することが可能である。十字方向操作キー５、操作キー群６及び制御回路１１６は、３つの自局電話番号のなかのいずれかの自局電話番号に対応するスケジュールデータ群をシークレットモードに設定可能とするシークレットモード設定手段として機能する。
なお、シークレットモードを解除するための暗証番号は、各自局電話番号に対応するスケジュールデータ群の全てについて、同一のものを設定するようにしてもよく、スケジュールデータ群ごとに異なる暗証番号を設定することができるようにしてもよい。
【００３４】
図３に示したアドレス帳テーブルの各項目の内容、及び、各項目間の関連付けについては、「自局電話番号」の内容を除いて、使用者が十字方向操作キー５や操作キー群６を操作することにより任意に入力することが可能である。また、「スケジュールデータ」についても、使用者が十字方向操作キー５、操作キー群６を操作することにより、３つの自局電話番号のいずれかに対応させてスケジュールデータを作成し、アドレス帳テーブルに記憶させることが可能である。
十字方向操作キー５、操作キー群６及び制御回路１１６は、スケジュールデータを３つの自局電話番号の各々に対応させて作成可能とするスケジュールデータ作成手段として機能する。また、電話番号・スケジュールデータ記憶回路１１３は、作成されたスケジュールデータを記憶するスケジュールデータ記憶手段として機能する。
【００３５】
図４は、携帯電話機１の制御回路１１６において実行されるスケジュールデータ作成処理ルーチンである。
図４に示したサブルーチンは、十字方向操作キー５、操作キー群６の操作により、スケジュールデータの作成の指示の入力があったときに呼び出されて実行されるものである。
【００３６】
まず、制御回路１１６は、相手先の選択指示があったか否かを判断する（ステップＳ１０）。この処理において、制御回路１１６は、十字方向操作キー５、操作キー群６の操作により、アドレス帳テーブルに記憶されている相手先識別情報のなかから、スケジュールの入力を行う相手先識別情報を選択する旨の指示の入力があったか否かを判断する。
ステップＳ１０において相手先の選択指示がなかったと判断した場合、制御回路１１６は、処理をステップＳ１０に戻す。
【００３７】
一方、ステップＳ１０において相手先の選択指示があったと判断した場合、制御回路１１６は、ステップＳ１０において選択された相手先に対応するスケジュールデータ群がシークレットモードに設定されているか否かを判断する（ステップＳ１１）。このステップＳ１１の処理は、図３に示したアドレス帳テーブルに基づいて行われる。
例えば、ステップＳ１０において選択された相手先が「ひろみ」であった場合、当該相手先に対応するスケジュールデータ群は、家族・友人用のスケジュールデータ群であるので、このステップＳ１１の処理において、シークレットモードに設定されていると判断される。また、例えば、ステップＳ１０において選択された相手先が「○○社長」であった場合、当該相手先に対応するスケジュールデータ群は、業務用のスケジュールデータ群であるので、このステップＳ１１の処理において、シークレットモードに設定されていないと判断される。
【００３８】
ステップＳ１１においてシークレットモードに設定されていると判断した場合、制御回路１１６は、十字方向操作キー５、操作キー群６による暗証番号の入力を可能とする暗証番号入力画像をディスプレイ４に表示させる処理を実行する（ステップＳ１２）。
【００３９】
ステップＳ１２の処理を実行すると、次に、制御回路１１６は、暗証番号入力画像が表示されているときに、十字方向操作キー５、操作キー群６による暗証番号の入力が行われ、当該暗証番号による認証が行われたか否かを判断する（ステップＳ１３）。
ステップＳ１３において、暗証番号による認証が行われていないと判断した場合、ステップＳ１０において選択された相手先についてのスケジュールデータが作成されても、当該スケジュールデータを、当該相手先に係るスケジュールデータ群に書き込むことができないので、本サブルーチンを終了させ、スケジュールデータの作成を行うことができないようにする。
【００４０】
ステップＳ１３において暗証番号による認証が行われたと判断した場合、又は、上述したステップＳ１１においてシークレットモードに設定されていないと判断した場合、次に、制御回路１１６は、スケジュールデータが作成されたか否かを判断する（ステップＳ１４）。このステップＳ１４において、制御回路１１６は、十字方向操作キー５、操作キー群６により、時間帯や予定等のスケジュールに係る項目の内容が入力されたか否かを判断する。
ステップＳ１４においてスケジュールが作成されていないと判断した場合、制御回路１１６は、処理をステップＳ１４に戻す。
【００４１】
一方、ステップＳ１４においてスケジュールデータが作成されたと判断した場合、次に、制御回路１１６は、時間帯が重複するスケジュールが存在するか否かを判断する（ステップＳ１５）。このステップＳ１５において、制御回路１１６は、ステップＳ１４において作成されたスケジュールデータと、アドレス帳テーブルに記憶されているスケジュールデータとについて、時間帯が重複するスケジュールに関するスケジュールデータが存在するか否かを判断する。
このステップＳ１５の処理を実行するとき、制御回路１１６は、判断手段として機能する。
【００４２】
ステップＳ１５において、時間帯が重複するスケジュールに関するスケジュールデータが存在すると判断した場合、次に、制御回路１１６は、報知画像を表示させる処理を実行する（ステップＳ１６）。
このステップＳ１６において、制御回路１１６は、ステップＳ１４において作成されたスケジュールデータと、アドレス帳テーブルに記憶されているスケジュールデータとについて、時間帯が重複するスケジュールに関するスケジュールデータが存在する旨を報知する報知画像を、ディスプレイ４に表示させる処理を実行する。
このステップＳ１６の処理を実行するとき、制御回路１１６及びディスプレイ４は、報知手段として機能する。
【００４３】
ステップＳ１６の処理を実行するか、又は、上述したステップＳ１５において時間帯が重複するスケジュールに関するスケジュールデータが存在しないと判断した場合、次に、制御回路１１６は、スケジュールデータの登録指示があったか否かを判断する（ステップＳ１７）。このステップＳ１７において、制御回路１１６は、十字方向操作キー５、操作キー群６により、ステップＳ１４において作成されたスケジュールデータをアドレス帳テーブルに記憶させる旨の指示の入力があったか否かを判断する。
ステップＳ１７において、スケジュールデータの登録指示がなかったと判断した場合、スケジュールデータの登録がキャンセルされたことになるので、本サブルーチンを終了する。
【００４４】
一方、ステップＳ１７において、スケジュールデータの登録指示があったと判断した場合、次に、制御回路１１６は、ステップＳ１４において作成されたスケジュールデータを、アドレス帳テーブルに記憶（書込み）させる処理を実行する（ステップＳ１８）。
例えば、相手先「ひろみ」についてのスケジュールに関するスケジュールデータが作成された場合には、当該スケジュールデータは、家族・友人用のスケジュールデータ群に書き込まれる。また、例えば、相手先「○○社長」についてのスケジュールに関するスケジュールデータが作成された場合には、当該スケジュールデータは、業務用のスケジュールデータ群に書き込まれる。
その後、作成されたスケジュールデータが書き込まれたスケジュールデータ群の内容をディスプレイ４に表示させる処理を行い（ステップＳ１９）、本サブルーチンを終了する。
このステップＳ１９の処理を実行するとき、制御回路１１６及びディスプレイ４は、スケジュールデータの内容を、３つの自局電話番号の各々について個別に表示可能とする表示制御手段として機能する。
なお、このステップＳ１９の処理が実行されるときに、ディスプレイ４に表示されるスケジュールデータの内容については、後に図面を用いて詳述する。
【００４５】
次に、図４に示したサブルーチンを実行されているときに、携帯電話機１のディスプレイ４に表示される画像について図５を用いて説明する。
図５（ａ）〜（ｆ）は、実施形態に係る携帯電話機１のディスプレイ４に表示される画像の一例を示す図である。
【００４６】
図５（ａ）〜（ｆ）に示す画面画像の上側には、３つの自局電話番号のそれぞれに対応するアンテナピクトが表示されている。
図５（ａ）に示す画面画像は、アドレス帳テーブルに記憶されている相手先識別情報の内容を示す画像であり、相手先の名前を示す画像が複数表示されている。
十字方向操作キー５、操作キー群６を操作し、例えば、これらの名前のなかで、「ひろし」が選択されたときに、当該名前に対応するスケジュールデータ群がシークレットモードに設定されている場合には、次に、図５（ｂ）に示す画面画像が表示される。
【００４７】
図５（ｂ）に示す画面画像は、図４に示したサブルーチンのステップＳ１２において表示される暗証番号入力画像である。３つのアンテナピクトの下側には、選択された相手先識別情報に対応するスケジュールデータ群がシークレットモードに設定されている旨を報知する画像が表示されており、その下側には、暗証番号の入力を促す画像が表示され、さらにその下側には、暗証番号の入力欄が表示されている。
図５（ｂ）に示す画面画像が表示されているときに、暗証番号による認証が行われた場合には、次に、図５（ｃ）に示す画面画像が表示される。
【００４８】
図５（ｃ）に示す画面画像は、スケジュールの時間帯及び予定の入力画像である。
３つのアンテナピクトの下側には、スケジュールの時間帯の入力欄が表示されており、その下側には、予定の入力欄が表示されている。
これらの入力欄にスケジュールの時間帯及び予定が入力されてスケジュールデータが作成されたときに、当該スケジュールデータと、アドレス帳テーブルに記憶されているスケジュールデータとについて、時間帯が重複するスケジュールデータが存在する場合には、次に、図５（ｄ）に示す画面画像が表示される。
【００４９】
図５（ｄ）に示す画面画像は、図４に示したサブルーチンのステップＳ１６において表示される報知画像である。
３つのアンテナピクトの下側には、時間帯が重複するスケジュールデータが存在する旨を示す画像が表示されている。図５（ｄ）に示す画面画像が表示された後、次に、図５（ｅ）に示す画面画像が表示される。
【００５０】
図５（ｅ）において、３つのアンテナピクトの下側には、作成されたスケジュールデータをアドレス帳テーブルに記憶させるか否かについての指示の入力を促す画像が表示されている。図５（ｅ）に示す画面画像が表示されているときに、スケジュールデータをアドレス帳テーブルに記憶させる旨を示す指示の入力があったときには、次に、図５（ｆ）に示す画面画像が表示される。
【００５１】
図５（ｆ）に示す画面画像は、図４に示したサブルーチンのステップＳ１９において表示されるスケジュールデータの内容を示す画像である。
３つのアンテナピクトの下側には、図５（ａ）に示す画面画像が表示されているときに選択された相手先識別情報である「ひろし」に対応するスケジュールデータ群である家族・友人用のスケジュールデータ群の内容が表示されている。また、新たに作成され、家族・友人用のスケジュールデータ群に書き込まれたスケジュールデータの内容を示す画像には、着色が施されている。
【００５２】
実施形態に係る携帯電話機１では、図４、図５に示したスケジュールデータの作成、記憶時や、スケジュールデータの削除、変更時以外にも、十字方向操作キー５、操作キー群６の操作により、任意に、アドレス帳テーブルに記憶されているスケジュールデータ群の内容を、３つの自局電話番号の各々について個別に閲覧することが可能である。
【００５３】
図６（ａ）〜（ｃ）は、十字方向操作キー５、操作キー群６の操作によりアドレス帳テーブルに記憶されているスケジュールデータの内容を閲覧する際に表示される画像の一例を示す図である。
図６（ａ）に示す画面画像は、３つの自局電話番号の各々に対応するスケジュールデータ群（家族・友人用のスケジュールデータ群、私的用のスケジュールデータ群及び業務用のスケジュールデータ群）の選択画像である。
３つのアンテナピクトの下側には、３つのスケジュールデータのなかから、内容を表示させるスケジュールデータ群の選択肢を示す画像が表示されている。
図６（ａ）に示す画面画像が表示されているときに、例えば、業務用のスケジュールデータ群が選択され、当該業務用のスケジュールデータ群がシークレットモードに設定されている場合には、次に、図６（ｂ）に示す画面画像が表示される。
【００５４】
図６（ｂ）に示す画面画像は、図６（ａ）に示す画面画像が表示されているときに選択された業務用のスケジュールデータ群に対してアクセスを行うための暗証番号の入力画像である。
３つのアンテナピクトの下側には、選択された業務用のスケジュールデータ群がシークレットモードに設定されている旨を報知する画像が表示されており、その下側には、暗証番号の入力を促す画像が表示され、さらにその下側には、暗証番号の入力欄が表示されている。
図６（ｂ）に示す画面画像が表示されているときに、暗証番号による認証が行われた場合には、次に、図６（ｃ）に示す画面画像が表示される。
【００５５】
図６（ｃ）に示す画面画像は、図６（ａ）に示す画面画像が表示されているときに選択された業務用のスケジュールデータ群の内容を示す画像である。
３つのアンテナピクトの下側には、業務用のスケジュールデータ群を構成する各スケジュールデータの内容が表示されている。
【００５６】
以上、実施形態に係る携帯電話機１では、家族・友人用の通話に使用している自局電話番号に対応させて家族・友人用のスケジュールを登録し、私的用の通話に使用している自局電話番号に対応させて私的用のスケジュールを登録しさらに、業務用の自局電話番号に対応させて業務用のスケジュールを登録するというように、用途ごとに個別にスケジュールを登録させることが可能であるとともに、用途ごとのスケジュールを個別に表示させることが可能となる。そのため、仕事中には、家族・友人用のスケジュール及び私的用のスケジュールの内容が職場の人に知られてしまうということがなく、携帯電話機のスケジュール機能を複数の用途ごとに使い分けても使用者の体裁が悪くなってしまうことを防止することが可能となる。
【００５７】
また、実施形態に係る携帯電話機１では、例えば、仕事中には、家族・友人用のスケジュールデータ群、及び、私的用のスケジュールデータ群をシークレットモードに設定しておくことにより、職場の人が勝手に携帯電話機を操作しても、家族・友人用のスケジュール、及び、私的用のスケジュールが変更されたり、家族・友人用のスケジュール、及び、私的用のスケジュールが職場の人に知られてしまったりすることがない。
このように、複数の自局電話番号のなかのいずれかの自局電話番号に対応するスケジュールの作成と、当該自局電話番号からなる群に対するアクセスとについて、シークレットモードに設定可能とすることにより、他人に変更されたり、知られたりすることを望まないスケジュールをより確実に保護することが可能となる。
【００５８】
また、実施形態に係る携帯電話機１では、時間帯が重複するスケジュールに関するスケジュールデータが作成された場合には、その旨が報知されるため、所謂ダブルブッキングが起こることによる人間関係の悪化を防止することが可能となる。
【００５９】
上述した例では、一の自局電話番号に対応する相手先についてのスケジュールデータのみを作成可能である場合について説明したが、本発明では、複数の自局電話番号の各々に対応するスケジュールデータを作成可能であればよく、例えば、一の自局電話番号に対応していない相手先（他の自局電話番号に対応する相手先、又は、携帯電話機に相手局電話番号が記憶されていない相手先）についてのスケジュールを作成可能であってもよい。
このようにした場合、例えば、以下のような手順でスケジュールデータを作成することが可能となる。
【００６０】
（Ａ）まず、作成したスケジュールデータの書込みを行いたいスケジュールデータ群を、３つの自局電話番号の各々に対応したスケジュールデータ群（家族・友人用のスケジュールデータ群、私的用のスケジュールデータ群、業務用のスケジュールデータ群）のなかから選択可能とする画面を表示させる。
（Ｂ）次に、スケジュールに係る相手先、時間帯、予定等のスケジュールに係る項目の入力に基づいてスケジュールデータを作成する。
（Ｃ）そして、作成されたスケジュールデータと、携帯電話機に記憶されているスケジュールデータとについて、時間帯が重複するスケジュールに関するスケジュールデータが存在するか否かを判断し、存在する場合には、その旨を報知する画像（例えば、図５（ｄ）に示した画像）を表示させる。
（Ｄ）そして、使用者からの入力の指示に基づいて、作成されたスケジュールデータを上記（Ａ）において選択されたスケジュールデータ群に書き込み、その後、当該スケジュールデータ群の内容を表示させる。
【００６１】
このようにした場合、例えば、業務用の自局電話番号に対応する相手先であるが、プライベートでの交友もあるときであっても、当該相手先についてのスケジュールデータを、家族・友人用のスケジュールデータ群に書き込むことが可能となり、また、携帯電話機に相手局電話番号が記憶されていない相手先のスケジュールに関するスケジュールデータも携帯電話機に記憶させることができるため、より利便性に優れたものとなる。
【００６２】
上述した例では、暗証番号による認証が行われることを条件として、シークレットモードに設定されたスケジュールデータへのアクセスが許可される場合について説明したが、本発明において、シークレットモードを解除するための認証方法としては、特に限定されるものではなく、例えば、特定のキーワードの音声入力により認証が行われるように携帯電話機が構成されていてもよく、指紋照合による認証が行われるように携帯電話機が構成されていてもよい。
【００６３】
また、本発明の携帯電話機は、１台で複数の自局電話番号を使用可能であるが、本発明を、１台で１つの自局電話番号のみを使用可能な携帯電話機に適用することも可能である。すなわち、本発明は、下記（i）のような構成を採用することが可能である。
【００６４】
（i）使用者のスケジュールに関するスケジュールデータを作成可能とするスケジュールデータ作成手段と、
１又は２以上のスケジュールデータからなるスケジュールデータ群を記憶するスケジュールデータ記憶手段と、
スケジュールデータ記憶手段に記憶されているスケジュールデータの内容を、スケジュールデータ群ごとに個別に表示可能とする表示制御手段と
を備えたことを特徴とする携帯電話機。
【００６５】
（i）の発明によれば、スケジュールデータの内容を、複数の用途ごとに個別に表示させることが可能となるため、携帯電話機のスケジュール機能を複数の用途ごとに使い分けても使用者の体裁が悪くなってしまうことを防止することが可能となる。
【図面の簡単な説明】
【００６６】
【図１】実施形態に係る携帯電話機の一例を模式的に示す斜視図である。
【図２】図１に示した携帯電話機の内部構成を示すブロック図である。
【図３】図２に示した電話番号・スケジュールデータ記憶回路内のメモリに格納されるアドレス帳テーブルの一例を示す概念図である。
【図４】図１に示した携帯電話機の制御回路において実行されるスケジュールデータ作成処理ルーチンを示すフローチャートである。
【図５】（ａ）〜（ｆ）は、実施形態に係る携帯電話機に表示される画像の一例を示す図である。
【図６】（ａ）〜（ｃ）は、実施形態に係る携帯電話機に表示される画像の一例を示す図である。
【符号の説明】
【００６７】
１  携帯電話機
２  （２ａ〜２ｃ）アンテナ
３  受話口
４  ディスプレイ
５  十字方向操作キー
６  操作キー群
７  送話口
１１  ケース
１２  カバー
１０１（１０１ａ〜１０１ｃ）  信号処理回路
１０２（１０２ａ〜１０２ｃ）  レベル検出回路
１０３  着信音出力スピーカ
１０４  バイブレータ用モータ
１１１  スピーカ
１１２  マイクロホン
１１３  電話番号・スケジュールデータ記憶回路
１１６  制御回路
【図１】
2005217960.tif 000003
【図２】
2005217960.tif 000004
【図３】
2005217960.tif 000005
【図４】
2005217960.tif 000006
【図５】
2005217960.tif 000007
【図６】
2005217960.tif 000008